(57)【要約】      （修正有）【課題】喫飲時において、流動体が口腔内に安定的に流入する事により、こぼさず、飲みやすい飲食用の食器を提供する。【解決手段】開口部に専用の飲み口部１１を備え、飲み口部１１は、食器を傾け時に安定的に流動体が流れやすくし、飲み口部１１の位置を開口部１４より浅く前方に吐出させ、さらに、曲線状、唇に沿われた形状、流動体が流動しやすい飲み口壁面１３を形成する形状等とした。【選択図】図１
0003188747.tif 000002
【実用新案登録請求の範囲】
【請求項１】
流動性の飲み物や食材を喫飲するための食器であって、
中空部を有する外壁及び内壁からなる壁面と、
開口部と、
前記開口部を形成する周縁の一部が、当該周縁より底面側、及び、外側に突出した飲み口部と、が設けられている
ことを特徴とする喫飲用食器。
【請求項２】
請求項１に記載の喫飲用食器であって、
前記底面から前記飲み口部に至る内壁が、８０度以下に傾斜して設けられている
ことを特徴とする喫飲用食器。
【請求項３】
請求項１又は２に記載の喫飲用食器であって、
前記底面と、前記底面から前記飲み口部に至る内壁と、で形成される角部が、曲率半径２ｃｍ以上の曲面で形成されている
ことを特徴とする喫飲用食器。
【請求項４】
請求項１から３の何れか一項に記載の喫飲用食器であって、
前記飲み口部が複数設けられていること
ことを特徴とする喫飲用食器。
【請求項５】
請求項１から４の何れか一項に記載の喫飲用食器であって、
前記外壁が、略円筒に形成されている
ことを特徴とする喫飲用食器。
【請求項６】
請求項１から５の何れか一項に記載の喫飲用食器であって、
台座がさらに設けられている
ことを特徴とする喫飲用食器。
【請求項７】
請求項６に記載の喫飲用食器であって、
前記台座は、前記中空部の偏りに応じて形成されている
ことを特徴とする喫飲用食器。
【考案の詳細な説明】
【技術分野】
【０００１】
本考案は、飲みやすく、こぼしにくい喫飲用の食器に関する。
【背景技術】
【０００２】
現在、喫飲用食器として、湯飲み、コーヒーカップ、ガラスコップ等の容器が使われている。
【０００３】
例えば、特許文献１には、特定の訓練等を要せずに頭部動作の反復を抑えることを可能とする食器が開示されており、流動系となる食材の喫飲動作及び飲み込み動作において、頭部運動を小さい角度に抑えることを目的としている。
【先行技術文献】
【特許文献】
【０００４】
【特許文献１】特開２０１０−１９３９８１号公報
【考案の概要】
【考案が解決しようとする課題】
【０００５】
しかし、主に喫飲用食器の傾きと唇との関係から、飲みやすく、こぼしにくくした喫飲用食器は無かった。
【０００６】
そこで本考案は、飲みやすく、こぼしにくく、また、保温性の高い喫飲用食器を提供することを目的とする。
【課題を解決するための手段】
【０００７】
上記課題を解決するために、本考案の一態様に係る喫飲用食器は、流動性の飲み物や食材を喫飲するための食器であって、中空部を有する外壁及び内壁からなる壁面と、開口部と、前記開口部を形成する周縁の一部が、当該周縁より底面側、及び、外側に突出した飲み口部と、が設けられていることを特徴とする。
【考案の効果】
【０００８】
本考案によれば、傾斜時に食器内部の流動体が安定的に流出すると共に、流動体を受け止める口腔の形状に沿うため口腔内に速やかに安定的に流れ込む。また、傾斜による飲み口部の流動体の水位（流動体表面位置）が上昇しても開口部付近の外壁からあふれ出しにくくなるため、飲みこぼしが少なくなる。よって、飲みこぼしによる、衣類等の汚れが防止できると共に、無駄が減らせる。
【０００９】
また、お年寄りのこぼす行為は、人間の心をすさませる行為にもつながり兼ねない。このような行為を防止、減少することが可能である。
【００１０】
さらに、子どもや老人でも飲みやすく、傾けた際の思わぬ流動物の流れにより気管支に流動して発生する、むせる行為を防止、減少することが可能になる。
【００１１】
加えて、保温性が良いため、喫飲に時間のかかるお年寄りに対しても、飲食物の温度を適温に保つことができる。
【図面の簡単な説明】
【００１２】
【図１】図１（ａ）は、本考案の第一の実施形態に係る喫飲用食器１の正面図である。図１（ｂ）は、その右側面図である。図１（ｃ）は、その平面図である。図１（ｄ）は、喫飲用食器１の使用例を示す説明図である。
【図２】図２は、図１（ａ）のＡ−Ａ′線断面を矢示方向から見た場合の断面図である。
【図３】図３（ａ）は、水を入れた通常のコップ８０を傾けたときの内部の水の流れを示した説明図である。図３（ｂ）は、図１に示した第一の実施形態の喫飲用食器１に水を入れた場合の傾斜時の水の流れを示す説明図である。
【図４】図４（ａ）は、飲み口部１１’の縁面が傾斜することなく、開口部１４’の周縁面と同一面にある形状の喫飲用食器１’である。図４（ｂ）は、本第一の実施形態に係る喫飲用食器１である。
【図５】図５（ａ）は、本考案の第二の実施形態に係る喫飲用食器２の正面図である。図５（ｂ）は、その右側面図である。
【図６】図６（ａ）は、第一の実施形態に係る喫飲用食器１である。図６（ｂ）は、本第二の実施形態に係る喫飲用食器２である。
【図７】図７（ａ）は、本考案の第三の実施形態に係る喫飲用食器３の正面図である。図７（ｂ）は、その右側面図である。
【図８】図８（ａ）及び（ｂ）は、飲み口部１１の立体図である。
【図９】図９（ａ）及び（ｂ）は、通常のコップ８０と、本実施の形態に係る喫飲用食器３を比較した説明図である。
【図１０】図１０（ａ）は、第四の実施形態に係る喫飲用食器４の正面図である。図１０（ｂ）は、その右側面図である。
【図１１】図１１は、図１０（ａ）のＢ−Ｂ′線断面を矢示方向から見た場合の断面図である。
【図１２】図１２は、本考案の第五の実施形態に係る喫飲用食器５の断面図である。
【図１３】図１３（ｂ）は、本実施形態に係る喫飲用食器５に水を入れた場合の傾斜時の水の流れを示す説明図である。
【図１４】図１４は、本考案の第六の実施形態に係る喫飲用食器６の正面図である。
【図１５】図１５は、図１４に示すＣ−Ｃ′断面を矢示方向から見た断面図である。
【図１６】図１６（ａ）及び（ｂ）は、飲み口部１１の断面図である。
【図１７】図１７は、喫飲用食器７の断面図である。
【考案を実施するための形態】
【００１３】
本考案の実施の形態について、以下、図に基づいて説明する。
【００１４】
＜第一の実施形態＞
図１（ａ）は、本考案の第一の実施形態に係る喫飲用食器１の正面図である。図１（ｂ）は、その右側面図である。図１（ｃ）は、その平面図である。図１（ｄ）は、喫飲用食器１の使用例を示す説明図である。
【００１５】
図１（ａ）〜（ｄ）に示すように、喫飲用食器１は底部１２がやや狭まった略円筒形の容器で、開口部１４の一部に飲み口部１１を設けたものである。飲み口部１１は、底部１２から立ち上がる所定の範囲の壁面１３の開口部１４付近を、開口部１４の周縁１４ａより外側に突出させ、開口部１４より底部１２側に下げることで傾斜を有する飲み口壁面１１ｍを形成したものである。
【００１６】
すなわち飲み口部１１の縁１１ａは、上から見た場合、図１（ｃ）に示すように、開口部１４の周縁１４ａから延出した「Ｕの字」形状に形成され、先端に向かうにつれて円筒容器の中心軸から離れる。また、図１（ｂ）に示すように、横から見た場合、飲み口部１１の縁１１ａは、開口部１４の周縁１４ａに対して底部１２側へと傾斜している。
【００１７】
さらに、容器の胴体部には、飲み口方向と直角方向から対面方向の間に把持部４０を備えている。把持部４０はどのような形状としても良いが、ここでは鉤状であるものとする。また、把持部４０の大きさは、鉤形状の内側に使用者が手の甲を通せる程度であることが望ましい。このような形状によれば、図１（ｄ）に示すように、使用者が容器の壁を掴んで保持する際、把持部４０で手の甲を支えることが可能である。よって、使用者は円筒部を直接、安定的に掴むことができる。これによれば、把持部４０のみで全体を保持する場合よりも、内部の流動体の熱さや冷たさを感じることができる。
【００１８】
図２は、図１（ａ）のＡ−Ａ′線断面を矢示方向から見た場合の断面図である。
【００１９】
図２に示すように、喫飲用食器１は、外壁１６に沿って内壁面１５が形成された、中空部１７を備える二重成形構造となっている。従って、内部に保持される流動体は中空部１７を介して外気と接するため、保温性が高まる。なお、中空部１７は真空としてもよく、また、熱伝導性が低い流動体材料或いは固体材料を充填してもよい。さらに、中空部１７の形状は、どのようなものであってもよい。例えば、底部１２の中空部１７を厚くする等である。なお、本実施形態では飲み口部１１にも中空部１７を設けているが、飲み口部１１は二重成形構造としない構成としてもよい。
【００２０】
ここで、喫飲用食器１の作用について説明する。
【００２１】
まず、喫飲時の飲みやすい食器の条件として、
（１）流動体内容量の変化においても常に傾斜方向に流れること、
（２）流れは常にスムーズであること、
（３）少ない傾斜で全てが流れ出ること、が挙げられる。
【００２２】
図３（ａ）は、水を入れた通常のコップ８０を傾けたときの内部の水の流れを示した説明図である。コップ８０を緩やかに傾けてゆくと、最初、水はコップ８０の傾斜方向の外壁面に纏わり付き、伝ってこぼれやすい。さらに傾斜をつけて勢いを増すことで、内部の水は次第に外壁面を伝わずに流れて出るようになる。
【００２３】
図３（ｂ）は、図１に示した第一の実施形態の喫飲用食器１に水を入れた場合の傾斜時の水の流れを示す説明図である。喫飲用食器１の場合では、全体の傾きが緩やかであっても、傾斜を有する飲み口壁面１１ｍにより水が外壁面に纏わり付き難く、スムーズに流れやすい。
【００２４】
さらに、喫飲用食器１の有する形状の作用を、図４を用いて説明する。図４（ａ）は、飲み口部１１’の縁面が傾斜することなく、開口部１４’の周縁面と同一面にある形状の喫飲用食器１’であり、図４（ｂ）は、本第一の実施形態に係る喫飲用食器１である。図４（ａ）に示す喫飲用食器１’では、飲み口部１１’を唇に当て、傾けた容器の水の水位が上がった時に、唇と容器の間に隙間ができ、この隙間から水がこぼれやすい。一方、図４（ｂ）に示すような喫飲用食器１であれば、飲み口部１１の先端が底部１２の方向にやや下がるよう傾斜しているために、飲み口壁面１１ｍが「壁」となって、傾けた際に水位が増しても、唇と食器との間に隙間ができ難く、水がこぼれにくい。
【００２５】
以上説明したように、第一の実施形態に係る喫飲用食器１によれば、唇側の飲料の水位が増した際に、飲み口部１１を唇で覆い易く、開口部１４の周縁１４ａから水漏れし難い。また、飲み口部分から流動体が唇に平均的に流れるため、持ち手にとっても無理のない動きでの喫飲が可能になる。
【００２６】
＜第二の実施形態＞
次に、本考案の第二の実施形態に係る喫飲用食器２について説明する。以下、既出の実施形態と同様の構成には同様の符号を付し、詳細な説明は省略する。
【００２７】
図５（ａ）は、本考案の第二の実施形態に係る喫飲用食器２の正面図である。図５（ｂ）は、その右側面図である。
【００２８】
喫飲用食器２は、図１の喫飲用食器１とは次の点で異なる。まず、喫飲用食器２の把持部４０は、コの字状の形状を有している。そして図５（ｂ）に示すように、飲み口部１１の縁１１ａと、その反対側に位置する開口部１４の周縁１４ａとが、側面視において「への字」となるように、飲み口部１１に近接する縁１４ｂが上方向に盛り上がっている。言い換えれば、飲み口部１１と、開口部１４の周縁１４ａのうち飲み口部１１の反対側に位置する部分と、の間の縁１４ｂが、それらの上部に位置するように設けられている。
【００２９】
喫飲用食器２の有する形状の作用を、図６を用いて説明する。図６（ａ）は、第一の実施形態に係る喫飲用食器１であり、図６（ｂ）は、本第二の実施形態に係る喫飲用食器２である。図６（ａ）の喫飲用食器１では、飲み口部１１を唇に当て、傾けた容器の水の水位が過度に上がった時に、唇と容器の間の隙間から、水がこぼれる可能性がある。一方、図６（ｂ）に示すように、喫飲用食器２であれば、飲み口部１１に近接する縁１４ｂが盛り上がっているため、傾け時に水位が増しても唇から水がこぼれにくい。
【００３０】
＜第三の実施形態＞
次に、本考案の第三の実施形態に係る喫飲用食器３について説明する。図７（ａ）は、本考案の第三の実施形態に係る喫飲用食器３の正面図である。図７（ｂ）は、その右側面図である。
【００３１】
喫飲用食器３は、喫飲用食器２と似た形状をなしているが、次の点で異なる。すなわち、喫飲用食器３は、飲み口壁面１１ｍを側面視において曲線状としている。
【００３２】
図８（ａ）に、喫飲用食器３の飲み口部１１の立体図を示す。この図に示すように、口面ライン１１ｅと唇の当たる外面ライン１１ｆとを曲面に形成し、縁１１ａの内面ラインを外面ライン１１ｆに沿わせているため、流動体が滑らかに飲み口部１１の開口部に流れる。このような形状により、水の流れがスムーズとなり、飲みやすくなる。
【００３３】
また、口面ライン１１ｅは必ずしもこの形状に限定されず、例えば、図８（ｂ）に示すように、唇形状に合わせて凹み曲線を描く形状としてもよい。このように、縁カーブと唇カーブを一致させることで、飲み口部１１の縁１１ａが唇にフィットし、流動体物がこぼれにくく、また滑らかな感覚を与えることができる。
【００３４】
図９（ａ）及び（ｂ）に、通常のコップ８０と、本実施の形態に係る喫飲用食器３を比較した説明図を示す。喫飲用食器３では、唇が縁１１ａのカーブに沿って当たるため、飲み口が丸い従来のコップ８０に比べて、隙間が生じ難く、楽に喫飲を行うことが可能である。また、水は飲み口部１１に集中して流れるため、より横からの水漏れが起こりにくい。
【００３５】
＜第四の実施形態＞
次に、本考案の第四の実施形態に係る喫飲用食器４について説明する。図１０（ａ）は、第四の実施形態に係る喫飲用食器４の正面図である。図１０（ｂ）は、その右側面図である。図１１は、図１０（ａ）のＢ−Ｂ′線断面を矢示方向から見た場合の断面図である。
【００３６】
喫飲用食器４では、図示するように、飲み口壁面１１ｍの形状を内側が内曲面となるように形成している。これにより喫飲時に、飲み口部１１の先端から流れる流動体の飛び出し（傾斜方向の押し流れ）を作り出すことができる。
【００３７】
また、図１１に示すように喫飲用食器４は、形状の異なった外壁１６と内壁１５を有する二重成形構造である。具体的に、外壁１６は上記実施の形態と同様の略円柱形状であるが、内壁１５は、飲み口壁面１１ｍに至る所定の範囲の壁面１３が、内底面１５ａに対して傾斜するように形成されている。
【００３８】
図１３（ａ）に、喫飲用食器４に水を入れた場合の傾斜時の水の流れを示す。喫飲用食器４では、飲み口部１１に沿った傾斜壁面１３ａを備えることにより、傾斜壁面１３ａがないものに比べて少ない傾きで、スムーズに流動体を飲み口部１１へと流すことができる。
【００３９】
なお、内底面１５ａに対する壁面１３（以下、傾斜壁面１３ａと称する）の傾斜角は、Ｂ−Ｂ′線断面において、８０度以下であることが望ましい。これにより使用者は、少ない傾きで流動体を喫飲することが可能である。また、外底面１６ａは内底面１５ａよりもその面積が大きく重心も安定するため、倒れにくい。
【００４０】
＜第五の実施形態＞
次に、本考案の第五の実施形態に係る喫飲用食器５について説明する。図１２は、本考案の第五の実施形態に係る喫飲用食器５の断面図である。なお、喫飲用食器５の外観は図１に記載の喫飲用食器１と同じである。従ってここでは図１２は、図１（ａ）に示すＡ−Ａ′断面を矢示方向から見た断面図であるとする。
【００４１】
喫飲用食器５は、内底部１５ａから傾斜壁面１３ａに至る角を湾曲させた曲面底部１３ｂとしたものである。なお、曲面底部１３ｂの曲率はいくつとしてもよいが、例えば、曲率半径２ｃｍ以上とすることが望ましい。
【００４２】
図１３（ｂ）に、本実施形態に係る喫飲用食器５に水を入れた場合の傾斜時の水の流れを示す。喫飲用食器５では、傾斜壁面１３ａに加え曲面底部１３ｂを設けたことにより、全体を傾斜させた際に、さらに滑らかに流動体が飲み口部１１へと流れる。また、粘性の高い流動体も食器内に残り難い。
【００４３】
＜第六の実施形態＞
次に、本考案の第六の実施形態に係る喫飲用食器６について説明する。図１４は、本考案の第六の実施形態に係る喫飲用食器６の正面図である。図１５は、図１４に示すＣ−Ｃ′断面を矢示方向から見た断面図である。
【００４４】
喫飲用食器６は、複数の飲み口部を備えている。喫飲用食器６では、対向位置に２ヶ所の飲み口部１１１及び１１２が形成されている。
【００４５】
なお、飲み口部１１の形状（例えば、飲み口壁面１１ｍの傾斜角や曲面形状等）や、内壁１５の形状（例えば、傾斜壁面１３ａの有無やその傾斜角、曲面底部１３ｂの有無やその曲率等）は、それぞれ異なるよう形成することができる。もちろん、全て又は一部を同じ構成としてもよい。ここでは、飲み口部１１１及び１１２は、開口径が異なるものとする。
【００４６】
例えば、飲み口部１１１は他方に比べて開口径が小さい。これは流動性の大きな流動体（水等）を飲むのに適している。一方で、飲み口部１１２は開口径が大きい。これは、流動性の小さな流動体（クリーム状のスープ、ヨーグルト等）を飲むのに適している。
【００４７】
さらに、飲み口部の数は上記に限定されず、いくつ設けても良い。またここでは、図１４に示すように把持部４０を対向する位置に複数設けている例を示したが、把持部についても、どの位置にいくつ設けてもよい。
【００４８】
例えば、図１６（ａ）に示すように、飲み口壁面１１ｍを、唇５０の外形に沿った曲率半径約５ｍｍの曲線状としてもよい。これにより、唇の丸みにフィットし喫飲時に唇５０に滑らかな感覚を与えると共に、こぼれにくくなる。
【００４９】
また、図１６（ｂ）に示すように、飲み口壁面１１ｍを曲線状とし、縁先端１１ｐ付近を膨らませてもよい。こうすることで、唇５０に触れた上部が丸いため、唇から容器の縁が逃げにくく、安定して喫飲することができる。また、縁先端１１ｐが厚く丸いため滑らか感が増すと共に、陶器や磁器で製作した場合でも壊れにくい。さらに、プラスチック等で製作した場合にも、縁１１ａが傷付きにくい上、角や亀裂が出にくく、滑らかな感覚が持続される。
【００５０】
次に、本考案の第七の実施形態に係る喫飲用食器７について説明する。図１７は、本実施形態に係る喫飲用食器７の断面図である。
【００５１】
図１７に示すように、喫飲用食器７は、上述の実施形態に係る喫飲用食器５と略同じ構成を有しているが、台座２０を備えている点で異なる。
【００５２】
台座２０は、底部１２と一体に形成してもよく、また別に形成して取り付けられていてもよい。また、中空部１７の大きさに偏りがある場合には、全体が安定するよう重心が調整されていることが望ましい。喫飲用食器７の場合は、飲み口部１１側に中空部１７が偏っており、その対向位置に把持部４０が形成されているため、飲み口部１１側が軽くなっている。従って、台座２０も飲み口部１１側に偏って形成されている。
【００５３】
以上、本考案のいくつかの実施形態について説明した。上記の実施形態は、本考案の要旨を例示することを意図し、本考案を限定するものではない。上記に限らず、多くの代替物、修正および変形例が当業者にとって明らかである。また、本考案の技術的思想の範囲内で様々な変形が可能である。
【００５４】
例えば、容器の表面にシリコンのカバーなどを付けて熱の伝わりを防止しても良い。また、それにより滑り易さも緩和する。
【符号の説明】
【００５５】
１〜７：喫飲用食器、１１・１１１・１１２：飲み口部、１１ａ：縁、１１ｅ：口面ライン、１１ｆ：外面ライン、１１ｍ：飲み口壁面、１１ｐ：縁先端、１２：底部、１３：壁面、１３ａ：傾斜壁面、１３ｂ：曲面底部、１４：開口部、１４ａ：周縁、１４ｂ：縁、１５：内壁、１５ａ：内底面、１６：外壁、１６ａ：外底面、１７：中空部、２０：台座、４０：把持部、５０：唇、８０：コップ。
【図１】
0003188747.tif 000003
【図２】
0003188747.tif 000004
【図３】
0003188747.tif 000005
【図４】
0003188747.tif 000006
【図５】
0003188747.tif 000007
【図６】
0003188747.tif 000008
【図７】
0003188747.tif 000009
【図８】
0003188747.tif 000010
【図９】
0003188747.tif 000011
【図１０】
0003188747.tif 000012
【図１１】
0003188747.tif 000013
【図１２】
0003188747.tif 000014
【図１３】
0003188747.tif 000015
【図１４】
0003188747.tif 000016
【図１５】
0003188747.tif 000017
【図１６】
0003188747.tif 000018
【図１７】
0003188747.tif 000019